(57)【要約】【課題】リング状のストッパの外周面と円筒状のバレルの内周面との間に空隙を有しないカメラモジュールを提供すること。【解決手段】カメラモジュール１は、カメラモジュール１の外殻をなすハウジング２と、カメラモジュール１の光学系を構成するレンズユニット３と、前記レンズユニット３を収容する合成樹脂製の円筒状のバレル４と、前記バレル４の内部においてレンズユニット３を固定している合成樹脂製のリング状のストッパ５と、前記レンズユニット３の下方に配設されている撮像素子９とを有している。そして、バレル４の内周面４ａとストッパ５の外周面５ａとは密接しており、ストッパ５は射出成型工程の際にゲート５ｃを有し、ゲート５ｃはストッパ５の上面５ｂの一部に垂直方向に形成されていると共に離型後に切除されることを特徴としている。また、ゲート５ｃの基部の周囲にストッパ５の上面５ｂから下方に窪んだ凹部５ｄが形成されている。【選択図】図１
2007181043.tif 000002
【特許請求の範囲】
【請求項１】
カメラモジュールの外殻を成すハウジングと、
カメラモジュールの光学系を構成するレンズユニットと、
前記レンズユニットを収容する合成樹脂製の円筒状のバレルと、
前記バレルの内部においてレンズユニットを固定している合成樹脂製のリング状のストッパと、
前記レンズユニットの下方に配設されている撮像素子とを有し、
前記バレルの内周面が全周に渡り前記ストッパの外周面と密接しており、
前記ストッパは射出成型工程の際にゲートを有し、前記ゲートは前記ストッパの上面の一部に垂直方向に形成されていると共に離型後に切除されることを特徴とするカメラモジュール。
【請求項２】
前記ストッパは、前記ゲートの周囲において、前記ストッパの上面から下方に窪んだ凹部を有していることを特徴とする請求項１記載のカメラモジュール。
【発明の詳細な説明】
【技術分野】
【０００１】
本発明はカメラモジュールに関し、特に自動車のバックモニタや携帯電話機等の電子機器に搭載される比較的小型のカメラモジュールに関する。
【背景技術】
【０００２】
電子機器に搭載される比較的小型のカメラモジュールには、その撮像素子としてＣＭＯＳセンサやＣＣＤセンサが使用されている。図４は、このような従来のカメラモジュール１００の断面図を示す。このカメラモジュール１００は、カメラモジュール１００の外殻を成すハウジング１０１と、カメラモジュール１００の光学系を構成するレンズユニット１０２と、レンズユニット１０２を収容する合成樹脂製の円筒状のバレル１０３と、バレル１０３の内部においてレンズユニット１０２を固定する合成樹脂製のリング状のストッパ１０４と、レンズユニット１０２の下方に配設されているＩＲカットフィルタ１０８と、ＩＲカットフィルタの下方に配設されている撮像素子１０９と、撮像素子１０９を支持している基板１１０とを備えている。
【０００３】
ストッパ１０４は、図５に示すように、射出成型により成型された合成樹脂製のリング状部材である。ストッパ１０４は、射出成型用の金型から離型された後、切断面１０４ｂの部分に形成されていたゲート（図示せず）を切除することにより完成される。即ち、切断面１０４ｂはゲートを切除するためにストッパ１０４の一部を切断した切断面である。このゲートは、ストッパ１０４の金型内へ樹脂を射出するためのものであり、ストッパ１０４の外周面１０４ａの一部分から水平方向に突出している。完成されたストッパ１０４はバレル１０３の底面側から圧入され、上記切断面１０４ｂを除くストッパ１０４の外周面１０４ａとバレル１０３の円筒状の内周面１０３ａとが接着される。そして、ストッパ１０４の上面１０４ｃがレンズユニット１０２の底面と密接することにより、ストッパ１０４はレンズユニット１０２をバレル１０３内に支持している。
【発明の開示】
【発明が解決しようとする課題】
【０００４】
上記のカメラモジュール１００のストッパ１０４の切断面１０４ｂが存在する部分は、バレル１０３の内周面１０３ａと接着されておらず、切断面１０４ｂと内周面１０３ａとの間に空隙１０７を生じてしまうという問題がある。
【０００５】
ストッパ１０４をバレル１０３の底面から圧入する際にストッパ１０４の外周面１０４ａとバレル１０３の内周面１０３ａとが摺り合い、これら部材の合成樹脂の削りかすである塵埃を生じる場合がある。この塵埃は空隙１０７を通じてＩＲカットフィルタ１０８の表面１０８ａの表面に付着する。空隙１０７を通じて塵埃がＩＲカットフィルタ１０８の表面１０８ａに付着すると、撮像素子１０９によって良好な画像を取得することができない。
【０００６】
本発明は上記問題点に鑑み、リング状のストッパの外周面と円筒状のバレルの内周面との間に空隙を有しないカメラモジュールを提供することを目的とする。
【課題を解決するための手段】
【０００７】
本発明に係るカメラモジュールは、カメラモジュールの外殻を成すハウジングと、カメラモジュールの光学系を構成するレンズユニットと、前記レンズユニットを収容する合成樹脂製の円筒状のバレルと、前記バレルの内部においてレンズユニットを固定している合成樹脂製のリング状のストッパと、前記レンズユニットの下方に配設されている撮像素子とを有し、前記バレルの内周面が全周に渡り前記ストッパの外周面と密接しており、前記ストッパは射出成型工程の際にゲートを有し、前記ゲートは前記ストッパの上面の一部に垂直方向に形成されていると共に離型後に切除されることを特徴とする。
【０００８】
本発明に係るカメラモジュールは、前記ストッパが、前記ゲートの周囲において、前記ストッパの上面から下方に窪んだ凹部を有していることが好ましい。
【発明の効果】
【０００９】
請求項１記載の発明に係るカメラモジュールは、円筒状のバレルの内周面が全周に渡りリング状のストッパの外周面と密接しており、ストッパは射出成型工程の際にゲートを有し、ゲートはストッパの上面の一部に垂直方向に形成されていると共に離型後に切除される。このため、バレルの内周面とストッパの外周面との間に空隙が形成されることがない。従って、ストッパをバレルに収容する際にストッパの外周面とバレルの内周面とが摺り合ことにより生じる塵埃がカメラモジュール内の空間に脱落することを防止することができ、撮像素子による良好な画像を確保することができる。
【００１０】
請求項２記載の発明に係るカメラモジュールは、ゲートの周囲にストッパの上面から下方に窪んだ凹部が形成されている。このため、切除されたゲートの残部がストッパの上面から上方に向かって突出しない。このため、ストッパの上面がレンズユニットの底面と完全に密接することができる。
【発明を実施するための最良の形態】
【００１１】
以下、本発明に係る第１実施形態のカメラモジュール１について添付図面を参照しつつ詳細に説明する。図１は本実施形態のカメラモジュール１の断面図である。なお、本明細書において用いられている上及び下という文言は、カメラモジュールのバレル４が配設されている方向を上、また、基板１０が配設されている方向を下としている。
【００１２】
カメラモジュール１は、カメラモジュール１の外殻をなすハウジング２と、カメラモジュール１の光学系を構成するレンズユニット３と、前記レンズユニット３を収容する合成樹脂製の円筒状のバレル４と、前記バレル４の内部においてレンズユニット３を固定している合成樹脂製のリング状のストッパ５と、前記レンズユニット３の下方に配設されている撮像素子９とを有している。そして、バレル４の内周面４ａは全周に渡りストッパ５の外周面５ａと密接しており、ストッパ５は射出成型工程の際にゲート５ｃを有し、ゲート５ｃはストッパ５の上面５ｂの一部に垂直方向に形成されていると共に離型後に切除されることを特徴としている。
【００１３】
ハウジング２は、合成樹脂製の直方体形状の部材であり、内部空間を有している。この内部空間には、後述するバレル４が収容されている。
【００１４】
レンズユニット３は、後述するバレル４の内部空間内に収容されており、カメラモジュール１の光学系を構成している。
【００１５】
バレル４は、合成樹脂製の円筒状部材であり、内部空間を有している。この内部空間の上方においてレンズユニット３を収容し、この内部空間の下方において後述するストッパ５を収容している。
【００１６】
ストッパ５は、射出成型により成型されている合成樹脂製のリング状部材である。このストッパ５は、バレル４の内部空間下方に収容されている。ストッパ５は、図２に示すように、射出成型工程の際にゲート５ｃを有している。このゲート５ｃは、ストッパ５の上面５ｂの一部に垂直方向に形成されていると共に、射出成型に用いる金型（図示せず）から離型後に切除される。このゲート５ｃの基部の周囲には、ストッパ５の上面５ｂから下方に窪んだ凹部５ｄが形成されている。ゲート５ｃの切除のための切断はゲート５ｃの基部において行われる。図３は、ゲート５ｃが切除後のストッパ５を示している。
【００１７】
ゲート５ｃが切除され完成されたストッパ５は、レンズユニット３を収容しているバレル４の底面側から圧入され、バレル４の円筒状の内周面４ａが全周に渡りストッパ５の外周面５ａと密接し、バレル４とストッパ５とが接着される。そして、ストッパ５の上面５ｂがレンズユニット３の底面と密接することにより、ストッパ５によりレンズユニット３がバレル４内に支持される。
【００１８】
なお、符号９はレンズユニット３の下方に配設されている撮像素子を示し、この撮像素子９は基板１０に取付けられている。また、符号８は表面８ａを有するＩＲカットフィルタを示している。
【００１９】
以下、本実施形態の作用効果を説明する。本実施形態のカメラモジュール１においては、バレル４の内周面４ａが全周に渡りストッパ５の外周面５ａと密接しており、ストッパ５は射出成型工程の際にゲート５ｃを有し、ゲート５ｃはストッパ５の上面５ｂの一部に垂直方向に形成されていると共に離型後に切除される。このため、バレル４の内周面４ａとストッパ５の外周面５ａとの間に空隙が形成されることがない。従って、ストッパ５をバレル４に圧入する際にバレル４の内周面４ａとストッパ５の外周面５ａとが摺り合ことにより生じる塵埃がカメラモジュール内の空間に脱落することを防止することができ、ＩＲカットフィルタ８の表面８ａに塵埃が付着することを防止することができる。
【００２０】
さらに、本実施形態のカメラモジュール１においては、ゲート５ｃの基部の周囲にストッパ５の上面５ｂから下方に窪んだ凹部５ｄが形成されている。このため、切除されたゲート５ｃの残部がストッパ５の上面５ｂから上方に向かって突出しない。このため、ストッパ５の上面５ｂがレンズユニット３の底面と完全に密接することができる。
【図面の簡単な説明】
【００２１】
【図１】本発明に係る実施形態のカメラモジュール１の断面図である。
【図２】図１に示すカメラモジュール１のストッパ５を示す斜視図であり、ゲート５ｃの切除前の状態を示している。
【図３】図１に示すカメラモジュール１のストッパ５を示す斜視図であり、ゲート５ｃの切除後の状態を示している。
【図４】公知のカメラモジュール１００の断面図である。
【図５】図４に示すカメラモジュール１００のストッパ１０４を示す斜視図である。
【符号の説明】
【００２２】
１、１００  カメラモジュール
２、１０１  ハウジング
３、１０２  レンズユニット
４、１０３  バレル
４ａ  内周面
５、１０４  ストッパ
５ａ  外周面
５ｂ  上面
５ｃ  ゲート
５ｄ  凹部
８、１０８  ＩＲカットフィルタ
８ａ、１０８ａ  表面
９、１０９  撮像素子
１０、１１０  基板
１０３ａ  内周面
１０４ａ  外周面
１０４ｂ  切断面
１０４ｃ  上面
１０７  空隙
【図１】
2007181043.tif 000003
【図２】
2007181043.tif 000004
【図３】
2007181043.tif 000005
【図４】
2007181043.tif 000006
【図５】
2007181043.tif 000007